(57)【要約】【課題】  従来のコーヒーバッグは袋の容量、サイズ等は同様であるが、カップの口径の大小に適応させ袋部をカップ上に支える支持体をカップ口径より大きく構成することで使用する厚紙の面積量も多くコスト高の原因でもあった。【解決手段】  本発明は、この様な従来の課題を解決するため、支持体の構造を単純にして組み立てを必要とせず又、袋部全体の大きさと同程度で構成する支持体型として使用する厚紙等の面積量を少なくし単純構成にして低コスト化を計り、又その使用性も手軽にする。【選択図】      図１
2006158894.tif 000002
【特許請求の範囲】
【請求項１】
通水濾過性を有する柔軟なシートでフィルター袋２を構成し、これは底部に折り込み部１０を設けている、袋部支持体５はフィルター袋２の下部側を外側から２枚で前後からはさみ被覆しフィルター袋２の外壁面と一体化しておりフィルター袋２の両サイドの端部３で接続して構成したフィルター袋２は２枚の袋部支持体５の両側部１３をフィルター袋２の左右の端部３に達して筒状の袋部支持体５を構成しフィルター袋２の袋形を形成保持し、この袋部支持体５は中心の縦方向に位置したセンターフレーム８の折り曲げ部１１から左右に各伸び出た２枚の支持アーム１０を有しこの支持アーム１０の下部の先端側には下方に向いたカップの口部をとらえる切り込み溝１２を各有している、この袋部支持体５はセンターフレーム８から左右に伸び出た支持アーム１０の周囲を上端フレーム９とサイドフレーム６と底フレーム７で構成しフィルター袋２の外壁面と一体化してフィルター袋２の下部側で筒型を構成してフィルター袋２の袋型を保持しながら同時に左右に伸び出る支持アーム１０をセンターフレーム８で支えている、この袋部支持体５は柔軟性を有した薄手の厚紙等の部材で構成しながら袋部全体をカップ上に袋型を保持し支える大きな支持力を構成させるために巾が狭く細長いこの上端フレーム９やサイドフレーム６及び底フレーム７とセンターフレーム８でも高い形成保持力を生じさせるためにフィルター袋２の外壁面に一体に取り付けてフィルター袋２自体の引っ張り強度との構成により袋形を保持する保持力を高めている同時にセンターフレーム８の固定性も高まり支持アーム１０の支持性も高める支持アーム１０の周囲に構成したこの上端フレーム９やサイドフレーム６及び底フレーム７を巾の狭い細長い構成配置として支持アーム１０に大きな面積を確保して支持アーム１０を大型化することで袋部をカップ上に保持する支持アーム１０の支持力も高め又大型化にする事で折り曲げ部１１から下端に設けたカップの口部をとらえる切り込み溝１２までの距離も大きくなるため支持アーム１０の開き加減でカップ口径の大小に適応させている、さらにフィルター袋２は下部側を袋部支持体５に袋型を保持され上方に伸び出て必要な袋容量を構成し形成している、以上からなるドリップ抽出バッグに於いて柔軟性を有する薄手の厚紙等の部材により構成した袋部支持体５の上端フレーム９及びサイドフレーム６と底フレーム７さらにセンターフレーム８が巾の狭い細長の形状で構成していてもこの内壁面とフィルター袋２の外壁面とを一体に取り付けフィルター袋２の部材が有する引っ張り強度との組み合わせにより高い硬性強度を構成してフィルター袋２の袋形の保持と形成及びセンターフレーム８で支えるカップにセットするための各４辺の支持アーム１０の支持に必要な支持力を構成していることを特徴としたドリップ抽出バッグ。
【請求項２】
通水濾過性を有する柔軟なシートでフィルター袋２を構成し、これは底部に折り込み部１０を設けている、袋部支持体５はフィルター袋２の下部側を外側から２枚で前後からはさみ被覆しフィルター袋２の外壁面と一体化しておりフィルター袋２の両サイドの端部３で接続して構成したフィルター袋２は２枚の袋部支持体５の両側部１３をフィルター袋２の左右の端部３に達して筒状の袋部支持体５を構成しフィルター袋２の袋形を形成保持し、この袋部支持体５は中心の縦方向に位置したセンターフレーム８の折り曲げ部１１から左右に各伸び出た２枚の支持アーム１０を有しこの支持アーム１０の下部の先端側には下方に向いたカップの口部をとらえる切り込み溝１２を各有している、この袋部支持体５はセンターフレーム８から左右に伸び出た支持アーム１０の周囲を上端フレーム９とサイドフレーム６と底フレーム７で構成しフィルター袋２の外壁面と一体化してフィルター袋２の下部側で筒型を構成してフィルター袋２の袋型を保持しながら同時に左右に伸び出る支持アーム１０をセンターフレーム８で支えている、この袋部支持体５は柔軟性を有した薄手の厚紙等の部材で構成しながら袋部全体をカップ上に袋型を保持し支える大きな支持力を構成させるために巾が狭く細長いこの上端フレーム９やサイドフレーム６及び底フレーム７とセンターフレーム８でも高い形成保持力を生じさせるためにフィルター袋２の外壁面に一体に取り付けてフィルター袋２自体の引っ張り強度との構成により袋形を保持する保持力を高めている同時にセンターフレーム８の固定性も高まり支持アーム１０の支持性も高める支持アーム１０の周囲に構成したこの上端フレーム９やサイドフレーム６及び底フレーム７を巾の狭い細長い構成配置として支持アーム１０に大きな面積を確保して支持アーム１０を大型化することで袋部をカップ上に保持する支持アーム１０の支持力も高め又大型化にする事で折り曲げ部１１から下端に設けたカップの口部をとらえる切り込み溝１２までの距離も大きくなるため支持アーム１０の開き加減でカップ口径の大小に適応させている、さらにフィルター袋２は下部側を袋部支持体５に袋型を保持され上方に伸び出て必要な袋容量を構成し形成している、以上からなるドリップ抽出バッグに於いてフィルター袋２の下部側で構成している袋部支持体５が巾の狭い細長の上端フレーム９及びサイドフレーム６と底フレーム７さらにセンターフレーム８で構成して支持アーム１０の面積を大きくとり大型の支持アーム１０として袋部支持体５の部材が柔軟性を有した薄手の厚紙等の部材でも支持アーム１０がカップ口部をとらえカップ上に袋部を支持する支持力を高めて構成した袋部支持体５であることを特徴としたドリップ抽出バッグ。
【請求項３】
通水濾過性を有する柔軟なシートでフィルター袋２を構成し、これは底部に折り込み部１０を設けている、袋部支持体５はフィルター袋２の下部側を外側から２枚で前後からはさみ被覆しフィルター袋２の外壁面と一体化しておりフィルター袋２の両サイドの端部３で接続して構成したフィルター袋２は２枚の袋部支持体５の両側部１３をフィルター袋２の左右の端部３に達して筒状の袋部支持体５を構成しフィルター袋２の袋形を形成保持し、この袋部支持体５は中心の縦方向に位置したセンターフレーム８の折り曲げ部１１から左右に各伸び出た２枚の支持アーム１０を有しこの支持アーム１０の下部の先端側には下方に向いたカップの口部をとらえる切り込み溝１２を各有している、この袋部支持体５はセンターフレーム８から左右に伸び出た支持アーム１０の周囲を上端フレーム９とサイドフレーム６と底フレーム７で構成しフィルター袋２の外壁面と一体化してフィルター袋２の下部側で筒型を構成してフィルター袋２の袋型を保持しながら同時に左右に伸び出る支持アーム１０をセンターフレーム８で支えている、この袋部支持体５は柔軟性を有した薄手の厚紙等の部材で構成しながら袋部全体をカップ上に袋型を保持し支える大きな支持力を構成させるために巾が狭く細長いこの上端フレーム９やサイドフレーム６及び底フレーム７とセンターフレーム８でも高い形成保持力を生じさせるためにフィルター袋２の外壁面に一体に取り付けてフィルター袋２自体の引っ張り強度との構成により袋形を保持する保持力を高めている同時にセンターフレーム８の固定性も高まり支持アーム１０の支持性も高める支持アーム１０の周囲に構成したこの上端フレーム９やサイドフレーム６及び底フレーム７を巾の狭い細長い構成配置として支持アーム１０に大きな面積を確保して支持アーム１０を大型化することで袋部をカップ上に保持する支持アーム１０の支持力も高め又大型化にする事で折り曲げ部１１から下端に設けたカップの口部をとらえる切り込み溝１２までの距離も大きくなるため支持アーム１０の開き加減でカップ口径の大小に適応させている、さらにフィルター袋２は下部側を袋部支持体５に袋型を保持され上方に伸び出て必要な袋容量を構成し形成している、以上からなるドリップ抽出バッグに於いてフィルター袋２の下部側で構成している２枚の袋部支持体５がフィルター袋２の前後から外壁面側に一体に取り付けられ左右の側部１３がフィルター袋２の左右の端部３に達して配置され２枚の袋部支持体５の左右の側部１３どうしが直接つながらずフィルター袋２の左右の端部３の接続を介して筒状を構成している袋部支持体５であることを特徴としたドリップ抽出バッグ。
【請求項４】
通水濾過性を有する柔軟なシートでフィルター袋２を構成し、これは底部に折り込み部１０を設けている、袋部支持体５はフィルター袋２の下部側を外側から２枚で前後からはさみ被覆しフィルター袋２の外壁面と一体化しておりフィルター袋２の両サイドの端部３で接続して構成したフィルター袋２は２枚の袋部支持体５の両側部１３をフィルター袋２の左右の端部３に達して筒状の袋部支持体５を構成しフィルター袋２の袋形を形成保持し、この袋部支持体５は中心の縦方向に位置したセンターフレーム８の折り曲げ部１１から左右に各伸び出た２枚の支持アーム１０を有しこの支持アーム１０の下部の先端側には下方に向いたカップの口部をとらえる切り込み溝１２を各有している、この袋部支持体５はセンターフレーム８から左右に伸び出た支持アーム１０の周囲を上端フレーム９とサイドフレーム６と底フレーム７で構成しフィルター袋２の外壁面と一体化してフィルター袋２の下部側で筒型を構成してフィルター袋２の袋型を保持しながら同時に左右に伸び出る支持アーム１０をセンターフレーム８で支えている、この袋部支持体５は柔軟性を有した薄手の厚紙等の部材で構成しながら袋部全体をカップ上に袋型を保持し支える大きな支持力を構成させるために巾が狭く細長いこの上端フレーム９やサイドフレーム６及び底フレーム７とセンターフレーム８でも高い形成保持力を生じさせるためにフィルター袋２の外壁面に一体に取り付けてフィルター袋２自体の引っ張り強度との構成により袋形を保持する保持力を高めている同時にセンターフレーム８の固定性も高まり支持アーム１０の支持性も高める支持アーム１０の周囲に構成したこの上端フレーム９やサイドフレーム６及び底フレーム７を巾の狭い細長い構成配置として支持アーム１０に犬きな面積を確保して支持アーム１０を大型化することで袋部をカップ上に保持する支持アーム１０の支持力も高め又大型化にする事で折り曲げ部１１から下端に設けたカップの口部をとらえる切り込み溝１２までの距離も大きくなるため支持アーム１０の開き加減でカップ口径の大小に適応させている、さらにフィルター袋２は下部側を袋部支持体５に袋型を保持され上方に伸び出て必要な袋容量を構成し形成している、以上からなるドリップ抽出バッグに於いて支持体に使用する部材量を少なくするためにフィルター袋２の必要な袋容量を袋部支持体５の上方にフィルター袋２の上部側が伸び出て構成しさらにフィルター袋２の下部側にフィルター袋２の袋部形を形成保持しカップ上に袋部全体を支持する袋部支持体５を設けて配置した構成であることを特徴としたドリップ抽出バッグ。
【請求項５】
通水濾過性を有する柔軟なシートでフィルター袋２を構成し、これは底部に折り込み部１０を設けている、袋部支持体５はフィルター袋２の下部側を外側から２枚で前後からはさみ被覆しフィルター袋２の外壁面と一体化しておりフィルター袋２の両サイドの端部３で接続して構成したフィルター袋２は２枚の袋部支持体５の両側部１３をフィルター袋２の左右の端部３に達して筒状の袋部支持体５を構成しフィルター袋２の袋形を形成保持し、この袋部支持体５は中心の縦方向に位置したセンターフレーム８の折り曲げ部１１から左右に各伸び出た２枚の支持アーム１０を有しこの支持アーム１０の下部の先端側には下方に向いたカップの口部をとらえる切り込み溝１２を各有している、この袋部支持体５はセンターフレーム８から左右に伸び出た支持アーム１０の周囲を上端フレーム９とサイドフレーム６と底フレーム７で構成しフィルター袋２の外壁面と一体化してフィルター袋２の下部側で筒型を構成してフィルター袋２の袋型を保持しながら同時に左右に伸び出る支持アーム１０をセンターフレーム８で支えている、この袋部支持体５は柔軟性を有した薄手の厚紙等の部材で構成しながら袋部全体をカップ上に袋型を保持し支える大きな支持力を構成させるために巾が狭く細長いこの上端フレーム９やサイドフレーム６及び底フレーム７とセンターフレーム８でも高い形成保持力を生じさせるためにフィルター袋２の外壁面に一体に取り付けてフィルター袋２自体の引っ張り強度との構成により袋形を保持する保持力を高めている同時にセンターフレーム８の固定性も高まり支持アーム１０の支持性も高める支持アーム１０の周囲に構成したこの上端フレーム９やサイドフレーム６及び底フレーム７を巾の狭い細長い構成配置として支持アーム１０に大きな面積を確保して支持アーム１０を大型化することで袋部をカップ上に保持する支持アーム１０の支持力も高め又大型化にする事で折り曲げ部１１から下端に設けたカップの口部をとらえる切り込み溝１２までの距離も大きくなるため支持アーム１０の開き加減でカップ口径の大小に適応させている、さらにフィルター袋２は下部側を袋部支持体５に袋型を保持され上方に伸び出て必要な袋容量を構成し形成している、以上からなるドリップ抽出バッグに於いてカップ口径の大小に対して２枚の袋部支持体５で構成した筒状の前後に位置し支持アーム１０を支持するセンターフレーム８どうしの間を外方向に広げ袋部支持体５の筒状を湾曲させて左右の支持アーム１０が外側に移動して大径カップにセットしやすくしたとき袋部支持体５の筒型及び口部１上に折り曲げ部を設けて鋭角部が生じ抽出性が低下しない様にするため柔軟性を有した薄手の厚紙等の部材で袋部支持体５を構成し筒状の形状を湾曲させて形成できる様にしたことを特徴としたドリップ抽出バッグ。
【請求項６】
通水濾過性を有する柔軟なシートでフィルター袋２を構成し、これは底部に折り込み部１０を設けている、袋部支持体５はフィルター袋２の下部側を外側から２枚で前後からはさみ被覆しフィルター袋２の外壁面と一体化しておりフィルター袋２の両サイドの端部３で接続して構成したフィルター袋２は２枚の袋部支持体５の両側部１３をフィルター袋２の左右の端部３に達して筒状の袋部支持体５を構成しフィルター袋２の袋形を形成保持し、この袋部支持体５は中心の縦方向に位置したセンターフレーム８の折り曲げ部１１から左右に各伸び出た２枚の支持アーム１０を有しこの支持アーム１０の下部の先端側には下方に向いたカップの口部をとらえる切り込み溝１２を各有している、この袋部支持体５はセンターフレーム８から左右に伸び出た支持アーム１０の周囲を上端フレーム９とサイドフレーム６と底フレーム７で構成しフィルター袋２の外壁面と一体化してフィルター袋２の下部側で筒型を構成してフィルター袋２の袋型を保持しながら同時に左右に伸び出る支持アーム１０をセンターフレーム８で支えている、この袋部支持体５は柔軟性を有した薄手の厚紙等の部材で構成しながら袋部全体をカップ上に袋型を保持し支える大きな支持力を構成させるために巾が狭く細長いこの上端フレーム９やサイドフレーム６及び底フレーム７とセンターフレーム８でも高い形成保持力を生じさせるためにフィルター袋２の外壁面に一体に取り付けてフィルター袋２自体の引っ張り強度との構成により袋形を保持する保持力を高めている同時にセンターフレーム８の固定性も高まり支持アーム１０の支持性も高める支持アーム１０の周囲に構成したこの上端フレーム９やサイドフレーム６及び底フレーム７を巾の狭い細長い構成配置として支持アーム１０に大きな面積を確保して支持アーム１０を大型化することで袋部をカップ上に保持する支持アーム１０の支持力も高め又大型化にする事で折り曲げ部１１から下端に設けたカップの口部をとらえる切り込み溝１２までの距離も大きくなるため支持アーム１０の開き加減でカップ口径の大小に適応させている、さらにフィルター袋２は下部側を袋部支持体５に袋型を保持され上方に伸び出て必要な袋容量を構成し形成している、以上からなるドリップ抽出バッグに於いてフィルター袋２の底部に折り込み部４を設け袋部支持体５を筒形に形成した時にフィルター袋２の底部を構成する面積を折り込み部４が開き形成しカップ上にセットした時に袋部支持体５の下方にフィルター袋２の底部が出ない様にしてフィルター袋２の底部がカップ内の湯面に接する事なくドリップ性を確保していることを特徴としたドリップ抽出バッグ。
【発明の詳細な説明】
【技術分野】
【０００１】  本発明はカップ上にセットして使用するレギュラーコーヒー等の使い捨てタイプのドリップ式抽出バッグに関する。
【背景技術】
【０００２】  従来のコーヒーバッグは通水濾過性のシートにより構成する袋内にコーヒー粉を入れ、この袋を防水加工した厚紙等の部材により構成した支持体でカップ上に位置させセットして使用するものである。
【実案文献１】
実開平７−２２３
【特許文献１】特開２００２−２３８７６７
【特許文献２】特開２００４−１７８５
【特許文献３】特開２０００−２７９３２３
【特許文献４】特開２００４−２４７６３
【発明の開示】
【発明が解決しようとする課題】
【０００３】  カップ上にセットして使用するコーヒーバッグの袋の口部形は円形に近いほどコーヒーの抽出にむらが少なく、又口部の中央にお湯を注ぎその位置から袋部のあらゆる方向のフィルター面までの距離が均等であることも抽出むらを小さくする、この袋をカップ上に位置して支持するための支持体構成によっては袋の口部形が三角型や舟型等など口部形上に於いて鋭角部が生じることや又大型になるケースなどでも抽出むらの一因となった。〔特開２００４−２４７６３〕【０００４】  袋部をカップ上に浮かせ保持する支持体はカップ口径より大きい構成であり袋部はカップ口径より小さいため通常の上のせドリップタイプのコーヒーバッグの場合にこれらを生産する設備の工程は袋部を構成し袋内にコーヒー粉を充填し袋部より大きな支持体を構成したものを袋部と一体化する工程となり工程数の多い大型の生産設備となりコスト高となった。〔特開２０００−２７９３２３〕【０００５】  これに比較し通水濾過性を有した帯状のシートにあらかじめ袋部より小さい小型の支持体を取り付けて２枚折りにした中にコーヒー粉を充填しながら三辺をヒートシール等で熱融着させる充填生産設備では工程も少なく生産設備も簡略化できコスト的に有利であるが次の様な課題があった。【０００６】  通水濾過性を有した帯状シートの三辺をヒートシール等により熱融着する製袋方式の充填設備で生産する場合はカップの口部を２ヶ所とらえてセットする２点支持方式の支持体が小型になり袋部より小さく小型の支持体でありコーヒー粉を充填し袋の三辺を製袋するのに適するが支持体が小型であるため袋部の大部分をカップ内に入れ重心を低くしなければ安定してセットできず又袋部の大半がカップ内のお湯に浸るためドリップ性が低い問題も生じた〔実開平７−２２３〕【０００７】  袋部をカップ上に浮かせてセットする支持体ではカップの口部をとらえる係止部に一定の強度を必要とするため支持体に使用する部材は厚手の硬性を有したものを使用しなければならず製袋方式の充填機の場合帯状のシートにあらかじめ支持体を取り付けてロール状に巻き充填機にセットして引き出しながら帯状シートを２枚折した三辺をヒートシールするためこの工程の中で硬性を有した支持体では折れ曲がり変形するなどして支持体としての機能に問題が生じやすくカップ上にセットするため支持体が大型になる事も変形し折れ曲がりやすく製袋方式の充填機には適さなかった。〔特開２００２−２３８７６７〕【０００８】  通水濾過性を有した帯状のシートをヒートシール等により三辺を封じる製袋方式による充填設備には帯状のシートあらかじめ取り付けてある支持体は柔軟性を有した支持体が適しているが柔軟性を有した支持体の部材でカップ上に袋部を浮かせセットするには全体を支える大きな支持力を必要としこの支持力を支持体に構成させるには袋部全体を被覆するほどの大きな面積の支持体としなければならずコスト高となった。〔特開２００４−１７８５〕
【課題を解決するための手段】
【０００９】  そして本発明は上記目的を達成するために柔軟性を有した薄手の厚紙等の支持体で袋の外寸法と同じサイズで構成する事で生産工程を簡略化する製袋方式で生産できる方式タイプでありながら袋部をカップ上に浮かせて支持する高い支持力を構成する支持体とするために次の様にした、通水濾過性を有する柔軟なシートでフィルター袋２を構成し、これは底部に折り込み部１０を設けている、袋部支持体５はフィルター袋２の下部側を外側から２枚で前後からはさみ被覆しフィルター袋２の外壁面と一体化しておりフィルター袋２の両サイドの端部３で接続して構成したフィルター袋２は２枚の袋部支持体５の両側部１３をフィルター袋２の左右の端部３に達して筒状の袋部支持体５を構成しフィルター袋２の袋形を形成保持し、この袋部支持体５は中心の縦方向に位置したセンターフレーム８の折り曲げ部１１から左右に各伸び出た２枚の支持アーム１０を有しこの支持アーム１０の下部の先端側には下方に向いたカップの口部をとらえる切り込み溝１２を各有している、この袋部支持体５はセンターフレーム８から左右に伸び出た支持アーム１０の周囲を上端フレーム９とサイドフレーム６と底フレーム７で構成しフィルター袋２の外壁面と一体化してフィルター袋２の下部側で筒型を構成してフィルター袋２の袋型を保持しながら同時に左右に伸び出る支持アーム１０をセンターフレーム８で支えている、この袋部支持体５は柔軟性を有した薄手の厚紙等の部材で構成しながら袋部全体をカップ上に袋型を保持し支える大きな支持力を構成させるために巾が狭く細長いこの上端フレーム９やサイドフレーム６及び底フレーム７とセンターフレーム８でも高い形成保持力を生じさせるためにフィルター袋２の外壁面に一体に取り付けてフィルター袋２自体の引っ張り強度との構成により袋形を保持する保持力を高めている同時にセンターフレーム８の固定性も高まり支持アーム１０の支持性も高める支持アーム１０の周囲に構成したこの上端フレーム９やサイドフレーム６及び底フレーム７を巾の狭い細長い構成配置として支持アーム１０に大きな面積を確保して支持アーム１０を大型化することで袋部をカップ上に保持する支持アーム１０の支持力も高め又大型化にする事で折り曲げ部１１から下端に設けたカップの口部をとらえる切り込み溝１２までの距離も大きくなるため支持アーム１０の開き加減でカップ口径の大小に適応させている、さらにフィルター袋２は下部側を袋部支持体５に袋型を保持され上方に伸び出て必要な袋容量を構成し形成している。
【発明の効果】
【００１０】  フィルター袋２の袋形を保持するための袋部支持体５が柔軟性を有した薄手の厚紙等の部材で構成した上端フレーム９やサイドフレーム６及び底フレーム７さらにセンターフレーム８からなる巾の狭い細長の形状で構成していても高いフィルター袋２の袋形の形成及びその保持力を生じさせるためこの内壁面とフィルター袋２の外壁面とを一体に取り付けてフィルター袋２の部材の引張り強度との組み合わせによりフィルター袋２の袋形の形成及び保持力を構成させた袋部支持体５としてカップ上にセットした時の支持アーム１０を保持するセンターフレーム８の支持力も同時に高められている。【００１１】  フィルター袋２の袋形を保持しカップ上にセットして支持する袋部支持体５は巾が狭く細長い上端フレーム９やサイドフレーム６及び底フレーム７さらにセンターフレーム８で構成しフィルター袋２の部材の引っ張り強度との組み合わせで高い硬性強度を構成しているため袋部支持体５の全体面積内で支持アーム１０に使用する面積を大きく取り構成し確保できるため袋部支持体５の部材が柔軟性を有した薄手の厚紙等であってもカップ上にセットした時に必要な大きな支持力を支持アーム１０に構成でき同時にカップ口径の大小に対しても支持アーム１０が大型であるため支持アーム１０の折り曲げ部１１からの開き加減でセット範囲を大きく変化させて対応できる様になる。【００１２】  フィルター袋２の外壁面に一体に取り付け設けた２枚の袋部支持体５がフィルター袋２の左右の端部３を接合して構成したフィルター袋２を介してフィルター袋２の下部側で筒状の支持体を構成しているためフィルター袋２の口部１を開きフィルター袋２の下部側の袋部支持体５を筒状に形成する時２枚の袋部支持体５自体の左右両端部どうしを接合して筒形を形成する場合に比較して口部１及び袋部支持体５を筒型に開き形成する事がフィルター袋２の部材が袋部支持体５の部材より柔軟であるため容易になり又、生産工程上も２枚の袋部支持体５の左右両側部１３を接合した場合はフィルター袋２の左右両端部３の接合工程も含めて２重の端部接合工程となるが２枚の袋部支持体５をフィルター袋２の外壁面に取り付けてフィルター袋２の左右の両端部３だけを接合する場合は同時に２枚の支持体５も筒状に構成でき端部接合工程が一工程に簡略する事が可能になる。【００１３】  フィルター袋２の底部に折り込み部４を設けているため下部側に設けた袋部支持体５を筒状に開いた時フィルター袋２の底面積分をこの折り込み部４が開き底面を構成するため、袋部支持体５より下方にフィルター袋２が伸び出て位置し底面積分を構成する必要がなくお湯を注いだ時にカップ内の湯面にフィルター袋２の底部が袋部支持体５の下端部より下方に伸び出ないためにカップ内の湯面にフィルター袋２の底部が接する事がなくドリップ性が確保できる。【００１４】  フィルター袋２の下部側を袋部支持体５が筒型を形成し４辺の支持アーム１０がカップ口部をとらえ支持しフィルター袋２の下部側を固定支持しているため袋部支持体５から上方にフィルター袋２が伸び出て袋の上部側を構成して必要な袋容量を確保構成しており従来の様に袋部全体を被覆構成した支持体がカップ口部より大きな構成の支持体など又、��の口部を形成し、さらに支持体が下方に伸び出て構成した支持体は多くの支持体面積を必要とするのに比較しフィルター袋２の下部側だけに袋部支持体５を構成配置するため支持体面積が少なく低コスト化になる。
【発明を実施するための最良の形態】
【００１５】  以下、本発明の実施の形態を図１〜図５に基づいて説明する。【００１６】  そのため図に示す様に通水濾過性を有する柔軟なシートでフィルター袋２を構成し、これは底部に折り込み部１０を設けている、袋部支持体５はフィルター袋２の下部側を外側から２枚で前後からはさみ被覆しフィルター袋２の外壁面と一体化しておりフィルター袋２の両サイドの端部３で接続して構成したフィルター袋２は２枚の袋部支持体５の両側部１３をフィルター袋２の左右の端部３に達して筒状の袋部支持体５を構成しフィルター袋２の袋形を形成保持し、この袋部支持体５は中心の縦方向に位置したセンターフレーム８の折り曲げ部１１から左右に各伸び出た２枚の支持アーム１０を有しこの支持アーム１０の下部の先端側には下方に向いたカップの口部をとらえる切り込み溝１２を各有している、この袋部支持体５はセンターフレーム８から左右に伸び出た支持アーム１０の周囲を上端フレーム９とサイドフレーム６と底フレーム７で構成しフィルター袋２の外壁面と一体化してフィルター袋２の下部側で筒型を構成してフィルター袋２の袋型を保持しながら同時に左右に伸び出る支持アーム１０をセンターフレーム８で支えている、この袋部支持体５は柔軟性を有した薄手の厚紙等の部材で構成しながら袋部全体をカップ上に袋型を保持し支える大きな支持力を構成させるために巾が狭く細長いこの上端フレーム９やサイドフレーム６及び底フレーム７とセンターフレーム８でも高い形成保持力を生じさせるためにフィルター袋２の外壁面に一体に取り付けてフィルター袋２自体の引っ張り強度との構成により袋形を保持する保持力を高めている同時にセンターフレーム８の固定性も高まり支持アーム１０の支持性も高める支持アーム１０の周囲に構成したこの上端フレーム９やサイドフレーム６及び底フレーム７を巾の狭い細長い構成配置として支持アーム１０に大きな面積を確保して支持アーム１０を大型化することで袋部をカップ上に保持する支持アーム１０の支持力も高め又大型化にする事で折り曲げ部１１から下端に設けたカップの口部をとらえる切り込み溝１２までの距離も大きくなるため支持アーム１０の開き加減でカップ口径の大小に適応させている、さらにフィルター袋２は下部側を袋部支持体５に袋型を保持され上方に伸び出て必要な袋容量を構成し形成している。【００１７】  図１〜図３に示す様に上端フレーム９とサイドフレーム６及び底フレーム７からなる袋部支持体５の中央部に設けたセンターフレーム８の左右の折り曲げ部１１から左右に伸び出た下部の先端側に各設けた切り込み溝１２を有した支持アーム１０を各有してからなる２枚の袋部支持体５をフィルター袋２の下部側に於いてフィルター袋２の外壁面部に上端フレーム９とサイドフレーム６及び底フレーム７さらに中央部のセンターフレーム８からなる巾が狭く細長い形状のフレーム構成からなる袋部支持体５の内壁面とを一体に取付けてフィルター袋２の下部側に構成配置しておりさらにこの袋部支持体５の上方にフィルター袋２がさらに伸び出て袋容量を確保しフィルター袋２の上部側には袋部を支える支持体を有さず下部側で袋部全体の形状やカップ上での支持のための袋部支持体５を構成配置して使用する支持体の部材面積量を少なくしている。【００１８】    図１〜図３に示す様に上端フレーム９とサイドフレーム６及び底フレーム７からなる袋部支持体５の中央部に設けたセンターフレーム８の左右の折り曲げ部１１から左右に伸び出た下部の先端側に各設けた切り込み溝１２を有した支持アーム１０を各有してからなる２枚の袋部支持体５をフィルター袋２の下部側に於いてフィルター袋２の外壁面部に上端フレーム９とサイドフレーム６及び底フレーム７さらに中央部のセンターフレーム８からなる巾が狭く細長い形状のフレーム構成からなる支持体５の内壁面部とを一体に取付けてフィルター袋２の下部側に構成配置しておりさらにこの袋部支持体５の上方にフィルター袋２がさらに伸び出て袋容量を確保している、このフィルター袋２の下部側に設けた袋部支持体５の左右に位置する側部１３はフィルター袋２の左右端部３に達しておりフィルター袋２の下部周囲の外壁面に一体に取り付けており左右の端部３の接続を介してフィルター袋２の下部側で筒状の構成をして配置されている。【００１９】    図１〜図３に示す様に上端フレーム９とサイドフレーム６及び底フレーム７からなる袋部支持体５の中央部に設けたセンターフレーム８の左右の折り曲げ部１１から左右に伸び出た下部の先端側に各設けた切り込み溝１２を有した支持アーム１０を各有してからなる２枚の袋部支持体５をフィルター袋２の下部側に於いてフィルター袋２の外壁面部に上端フレーム９とサイドフレーム６及び底フレーム７さらに中央部のセンターフレーム８からなる巾が狭く細長い形状のフレーム構成からなる支持体５の内壁面部とを一体に取付けてフィルター袋２の下部側に構成配置しておりさらにこの袋部支持体５の上方にフィルター袋２がさらに伸び出て袋容量を確保しており、このフィルター袋２をカップ上で支える袋部支持体５は柔軟性を有した薄手の厚紙等を使用しながら高いカップ上での支持力を構成させるため支持アーム１０を大型化しさらにカップ口部の４点をとらえ支持し安定性を高めている、そのため袋部を形成する上端フレーム９やサイドフレーム６及び底フレーム７さらにセンターフレーム８は巾の狭い細長い形状としてフィルター袋２の下部側の袋形全体を支えるための構成配置をしており、さらにこれら各フレーム部を巾が狭く細長い形状にする事で支持アーム１０を大型化する面積を確保しカップ上にフィルター袋２を支え保持する支持アーム１０の大きな支持力を構成している。【００２０】  上端フレーム９とサイドフレーム６及び底フレーム７からなる袋部支持体５の中央部に設けたセンターフレーム８の左右の折り曲げ部１１から左右に伸び出た下部の先端側に各設けた切り込み溝１２を有した支持アーム１０を各有してからなる２枚の袋部支持体５をフィルター袋２の下部側に於いてフィルター袋２の外壁面部に上端フレーム９とサイドフレーム６及び底フレーム７さらに中央部のセンターフレーム８からなる巾が狭く細長い形状のフレーム構成からなる支持体５の内壁面部とを一体に取付けてフィルター袋２の下部側に構成配置しておりさらにこの袋部支持体５の上方にフィルター袋２がさらに伸び出て袋容量を確保している袋部支持体５の部材を柔軟性を有した薄手の厚紙等の部材で構成することでカ��プにセットしたときに図４と図５に示す様にカップ口径の大小により袋部支持体５の筒形をその柔軟性により口部１と袋部支持体５を湾曲させ変形させる事でフィルター袋２の口部１と袋部支持体５の形状を常に丸型を基調とした形状を保ち口部１と袋部支持体５の形状に鋭角部を生じさせずに抽出ムラを防ぎながら変化させ支持アーム１０を支持する左右のセンターフレーム８の間を外方向に広げ大きく開き支持アーム１０が外側に移動して大きな口径のカップの口部をとらえられる様にするとともに支持アーム１０の折り曲げ部１１から切り込み溝１２までの距離の大きな大型の支持アーム１０であるため折り曲げ部１１から折り曲げ支持アーム１０を外方向に開くほど切り込み溝１２も外側に位置し大型のカップ口径にも適応でき、この作用は折り曲げ部１１から切り込み溝１２までの距離の小さな小型の支持アームだと生じず図４に示す様に支持アーム１０を折りたたんだ状態で切り込み溝１２がカップ口部をとらえ図５に示す様に口径の大きなカップにセットした時に支持アーム１０を外方向に開く事で折り曲げ部１１から切り込み溝１２までの距離の大きな大型の支持アーム１０であるため切り込み溝１２が外側に移動する作用が得られる。【００２１】    図１〜図３に示す様に上端フレーム９とサイドフレーム６及び底フレーム７からなる袋部支持体５の中央部に設けたセンターフレーム８の左右の折り曲げ部１１から左右に伸び出た下部の先端側に各設けた切り込み溝１２を有した支持アーム１０を各有してからなる２枚の袋部支持体５をフィルター袋２の下部側に於いてフィルター袋２の外壁面部に上端フレーム９とサイドフレーム６及び底フレーム７さらに中央部のセンターフレーム８からなる巾が狭く細長い形状のフレーム構成からなる支持体５の内壁面部とを一体に取付けてフィルター袋２の下部側に構成配置しておりさらにこの袋部支持体５の上方にフィルター袋２がさらに伸び出て袋容量を確保しているフィルター袋２の底部に折り込み部４を設けて袋部支持体５が筒型に形成された時にフィルター袋２の底面積分をフィルター袋２の底部の折り込み部４が形成するためカップにセットした時にフィルター袋２の底部の袋部支持体５より下方に伸び出ている必要がないためフィルター袋２の底部がカップ内の湯面に接する事がなくドリップ性を確保できる。【００２２】  本発明は以上の構成でありこのフィルター袋２内にコーヒー粉を充墳して口部１を仮密着し、使用する時は口部１を開き袋部支持体５を筒状に形成し各支持アーム１０を開きカップ口部に切り込み溝１２を挟み込みセットしフィルター袋２内にお湯を入れて使用する。。
【図面の簡単な説明】
【００２３】
【図１】  本発明の使用状態を示す斜視図
【図２】  本発明の側面図
【図３】  本発明の展開図
【図４】  本発明の通常容器に使用した状態の平面図
【図５】  本発明の大径容器に使用した状態の平面図
【符号の説明】
【００２４】１．  口部
２．  フィルター袋
３．  端部
４．  折り込み部
５．  袋部支持体
６．  サイドフレーム
７．  底フレーム
８．  センターフレーム
９．  上端フレーム
１０．支持アーム
１１．折り曲げ部
１２．切り込み溝
１３．側部
１４．カップ
【図１】
2006158894.tif 000003
【図２】
2006158894.tif 000004
【図３】
2006158894.tif 000005
【図４】
2006158894.tif 000006
【図５】
2006158894.tif 000007